(57)【特許請求の範囲】
【請求項１】
液体源と注入バイアルとの間の流れ連通を確立するための即用（ＲＴＵ）液体薬物移動組立体での使用のためのユーザ作動式液体薬物移動デバイスであって、
前記注入バイアルは、閉端バイアル管と、注入バイアルストッパによって塞がれるクラウン開口を有する管状バイアルクラウンと、を含み、
前記注入バイアルは、最上注入バイアル面を有し、
前記液体薬物移動デバイスは、縦デバイス中心線を有し、
（ａ）横向き注入バイアルアダプタ上部面と、前記バイアルクラウンへの入れ子式装着を意図した下向きぶら下がり注入バイアルアダプタスカートと、を有する注入バイアルアダプタであって、前記横向き注入バイアルアダプタ上部面は、前記注入バイアルへの前記入れ子式装着のときに、前記最上注入バイアル面の上にある、前記縦デバイス中心線に沿った、横向き注入バイアルアダプタ上部面アパーチャを含む、注入バイアルアダプタと、
（ｂ）前記液体源への取り付けを意図した液体源アダプタであって、前記液体源アダプタは、横向き液体源アダプタ上部面と、前記液体薬物移動デバイスの事前作動状態で前記注入バイアルアダプタに装着される下向きぶら下がり液体源アダプタスカートと、を含み、前記事前作動状態から作動状態への前記液体薬物移動デバイスのユーザ圧縮のときに、前記液体薬物移動デバイスの作動状態で前記注入バイアルアダプタをその中に入れ子式に受容するように構成される、液体源アダプタと、
（ｃ）前記液体源との流れ連通のための上向き液体移動部材端部と、前記上向き液体移動部材端部と流れ連通する下向き液体移動部材端部と、を有し、前記バイアル管との流れ連通のために前記注入バイアルストッパを穿刺するための穿刺先端で終端する両端型液体移動部材であって、前記穿刺先端は、前記事前作動状態で前記最上注入バイアル面の上にあり、前記作動状態で前記注入バイアルストッパを穿刺して貫く、両端型液体移動部材と、
（ｄ）前記液体薬物移動デバイスを中間プライミング状態にプライミングするために、前記液体源アダプタを前記注入バイアルアダプタから移動させるための初期手動直線摺動延長を必要とし、それによって前記事前作動状態から前記作動状態まで前記ユーザ圧縮を可能にする、安全キャッチ機構と、
（ｅ）前記中間プライミング状態の前記バイアル注入アダプタからの前記液体源アダプタの前記直線摺動延長を制限するための延長制限構造と、
（ｆ）前記作動状態で前記注入バイアルアダプタに前記液体源アダプタを固定するためのスナップ嵌合固定構造と、を含む、ユーザ作動式液体薬物移動デバイス。
【請求項２】
前記安全キャッチ機構は、少なくとも１つの安全キャッチを有し、
前記少なくとも１つの安全キャッチは各々が、外部方向付けフックで終端する下向きぶら下がり弾力性可撓性縦方向付け曲げ部材を有する前記液体源アダプタと、内部方向付けフックで終端する上向き弾力性可撓性縦方向付け曲げ部材を有する前記注入バイアルアダプタと、によって構成され、
前記外部方向付けフックは、前記事前作動状態で、前記内部方向付けフックと係合し、
前記外部方向付けフックは、前記中間プライミング状態で、前記内部方向付けフックから係合解除され、
前記外部方向付けフックは、前記中間プライミング状態から前記作動状態までの前記液体薬物移動デバイスの圧縮のときに前記内部方向付けフックを摺動して通り過ぎ、
前記下向きぶら下がり弾力性可撓性縦方向付け曲げ部材と前記上向き弾力性可撓性縦方向付け曲げ部材とは、前記作動状態で実質上同等の拡張である、請求項１に記載のデバイス。
【請求項３】
前記注入バイアルアダプタは、外部方向付け突起を備えた縦方向付け曲げ部材を含み、
前記液体源アダプタスカートは、前記液体源アダプタ上部面から遠ざけて配設される縦
方向付け細長延長制限アパーチャと、前記液体源アダプタ上部面に隣接して配設される固定アパーチャと、を含み、
前記外部方向付け突起は、前記中間プライミング状態で前記注入バイアルアダプタから前記液体源アダプタの前記延長を制限するために前記延長制限アパーチャと係合し、
前記外部方向付け突起は、前記作動状態で前記注入バイアルアダプタに前記液体源アダプタを固定するために前記固定アパーチャに係合する、請求項１又は２に記載のデバイス。
【請求項４】
雄コネクタと共に使用するための前記デバイスであって、
前記液体源アダプタは、前記両端型液体移動部材と一体的に形成され、
前記上向き液体移動部材端部は、前記雄コネクタと流れ連通するためのアクセス移動ポートによって構成される、請求項１から３のいずれか１項に記載のデバイス。
【請求項５】
注入ポートを有する輸液バッグと共に使用するための前記デバイスであって、
前記両端型液体移動部材は、前記注入バイアルアダプタ及び前記液体源アダプタ間に挟まれる別個の構成要素であり、
前記両端型液体移動部材は、前記作動状態で前記注入ポートを穿刺するために前記上向き液体移動部材端部を構成する第２の穿刺先端で終端する、請求項１から３のいずれか１項に記載のデバイス。
【請求項６】
投与ポートを有する輸液バッグと共に使用するための前記デバイスであって、
液体薬物移動デバイスは、前記輸液バッグの投与ポートへの摺動シール挿入のためのＩＶスパイクと、輸液セットの摺動シール挿入のための代用ＩＶポートと、前記液体源アダプタと、を有するみつまたボディを含み、
前記液体源アダプタは、前記両端型液体移動部材と一体的に形成され、
前記上向き液体移動部材端部は、前記ＩＶスパイク及び前記代用ＩＶポートと連続流れ連通する、請求項１から３のいずれか１項に記載のデバイス。
【請求項７】
請求項１から６のいずれか１項に記載の液体薬物移動デバイスを含む即用（ＲＴＵ）液体薬物移動組立体。
【発明の詳細な説明】
【技術分野】
【０００１】
本発明は、即用（ＲＴＵ：Ｒｅａｄｙ−Ｔｏ−Ｕｓｅ）液体薬物移動組立体での使用に適した液体薬物移動デバイスに関する。
【背景技術】
【０００２】
即用（ＲＴＵ）液体薬物移動組立体は、液体薬物移動デバイスと、それに取り付けられる少なくとも１つの無傷の非穿刺注入バイアルと、を含む。そういったＲＴＵ組立体は、注入バイアルを穿刺してそれとの流れ連通を可能にするためのユーザ活動を必要とする。そういったＲＴＵ組立体は、一般に次のような２つのタイプに分類することができ、先ず、ユーザ取り外し式注入バイアルを備えた液体薬物移動デバイスである。液体薬物移動デバイスは、事前取り付け式注入バイアルが調達される場合があり、或いは、その代わりに、ユーザが、穿刺のためのユーザ活動の事前ステップとして、入れ子式スナップ嵌合装着動作で、それを取り付ける。そして、第２に、液体薬物移動デバイス及び／又は注入バイアルを損傷させる極端な力を適用することを除いて、取り外せない注入バイアルを備えた液体薬物移動デバイスである。そういったＲＴＵ構造は、とりわけ家庭での使用、外来診療所での使用、その他同種のものを含む幅広い使用環境のために特に有益である。
【０００３】
共同所有のＰＣＴ国際出願ＰＣＴ／ＩＬ２０１０／０００７７７号は、「Ｖｉａｌ  Ａｓｓｅｍｂｌａｇｅ  ｗｉｔｈ  Ｖｉａｌ  ａｎｄ  Ｐｒｅ−Ａｔｔａｃｈｅｄ  Ｆｌｕｉｄ  Ｔｒａｎｓｆｅｒ  Ｄｅｖｉｃｅ」と題して、ＰＣＴ国際公開ＷＯ２０１１／０３９７４７号の下で公開されており、最初のタイプのＲＴＵ組立体を開示する。ＲＴＵ組立体は、針なし注射器と共に使用するための事前取り付け式の取り外し可能な注入バイアルを有する流体移動デバイスを含む。流体移動デバイスは、針なし注射器との流れ連通をシールするためのコネクタと、注入穿刺のための穿刺カニューレと、を有する細長管状流れ部材を含む。穿刺カニューレ先端は、注入バイアルストッパに埋め込まれる。ＷＯ２０１１／０３９７４７号の図９から図１３は、プルリングタイプの安全キャッチ機構を備えた流体移動デバイスを開示する。ＷＯ２０１１／０３９７４７号の図１４から図２３は、捩り及び押下げの安全キャッチ機構を備えた流体移動デバイスを開示する。
【０００４】
共同所有のＰＣＴ国際出願ＰＣＴ／ＩＬ２０１３／０５０７２１号は、「Ｌｉｑｕｉｄ  Ｄｒｕｇ  Ｔｒａｎｓｆｅｒ  Ｄｅｖｉｃｅｓ  ｅｍｐｌｏｙｉｎｇ  Ｍａｎｕａｌ  Ｒｏｔａｔｉｏｎ  ｆｏｒ  Ｄｕａｌ  Ｆｌｏｗ  Ｃｏｍｍｕｎｉｃａｔｉｏｎ  Ｓｔｅｐ  Ａｃｔｕａｔｉｏｎｓ」と題して、ＰＣＴ国際公開ＷＯ２０１４／０３３７１０号の下で公開されており、注入バイアルと、別の注入バイアル、注入液体容器、その他同種のものの形式の液体源と、の間の流れ連通を可能にするための両タイプのＲＴＵ組立体を開示する。ＲＴＵ組立体は、流れ連通の目的のために手動回転を直線変位に変換するための様々な機械的構造を採用する液体薬物移動デバイスを開示する。適切な機械的構造は、とりわけ、ねじ山構造、ピン及びトラック構造、その他同種のものを含む。
【０００５】
共同所有のＰＣＴ国際出願ＰＣＴ／ＩＬ２０１４／０５０３２７号は、「Ｄｒｕｇ  Ｃｏｎｔａｉｎｅｒ  Ｃｌｏｓｕｒｅ  ｆｏｒ  Ｍｏｕｎｔｉｎｇ  ｏｎ  Ｏｐｅｎ−ｔｏｐｐｅｄ  Ｄｒｕｇ  Ｃｏｎｔａｉｎｅｒ  ｔｏ  ｆｏｒｍ  Ｄｒｕｇ  Ｒｅｃｏｎｓｔｉｔｕｔｉｏｎ  Ａｓｓｅｍｂｌａｇｅ  ｆｏｒ  ｕｓｅ  ｗｉｔｈ  Ｎｅｅｄｌｅｌｅｓｓ  Ｓｙｒｉｎｇｅ」と題して、ＰＣＴ国際公開ＷＯ  ２０１４／１７０８８８号の下で公開されており、針なし注射器と共に使用するための第２のタイプのＲＴＵ組立体を開示する。ＲＴＵ組立体は、一体型針なし注射器コネクタと穿刺カニューレとを備えた流体移動部材を含む。流体移動部材は、初期の非穿刺位置から穿刺位置まで、対立的逆Ｌ形状トラックペアに沿って、手動で配設される。逆Ｌ形状トラックペアは、ユーザが流体移動部材を初期の位置まで戻すこと及びユーザ活動の進行を表示することを妨げるための一方向スナップ嵌合部材を含む。
【発明の概要】
【課題を解決するための手段】
【０００６】
本発明は、即用（ＲＴＵ）液体薬物移動組立体での使用のための液体薬物移動デバイスに向けられている。液体薬物移動デバイスは、注入バイアルストッパ及び最上注入バイアル面を有する非穿刺注入バイアルへの、それを穿刺しない、入れ子式装着のための注入バイアルアダプタを含む。注入バイアルアダプタは、注入バイアルの取り外しを可能にするか又は防止するように設計される場合がある。液体薬物移動デバイスは、ある範囲の液体源との流れ連通を意図した液体源アダプタを含む。適切な液体源は、とりわけ雄コネクタを備えた針なし注射器、注入液体容器、その他同種のものを含む。
【０００７】
液体源アダプタは、注入バイアルアダプタに装着され、初期の事前作動高さＨ１から最終作動高さＨ２（ここでＨ２＜Ｈ１）までの液体薬物移動デバイスの手動直線摺動圧縮のときに、注入バイアルアダプタをその中に入れ子式に受容するように構成される。液体薬物移動デバイスは、各々が、注入バイアルストッパを穿刺するための穿刺先端を備えた両端型液体移動部材を含む。両端型液体移動部材は、液体源アダプタと一体的に形成されるか又は意図された液体源にもよるが液体源アダプタ及び注入バイアルアダプタ間に挟まれる別個の構成要素である場合がある。穿刺先端は、液体薬物移動デバイスの事前作動状態で最上の注入バイアル面の上に配備され、作動状態で注入バイアルストッパを穿刺して貫く。
【０００８】
液体薬物移動デバイスは、無傷の非穿刺注入バイアルの不注意な穿刺につながる不注意なユーザ活動を排除するための一体型安全キャッチ機構を含む。安全キャッチ機構は、後続の手動直線摺動圧縮（そうすると直ぐに液体源アダプタは注入バイアルアダプタをその中にぴったり受容する）のための準備を液体薬物移動デバイスにプライミングするために、注入バイアルアダプタからの液体源アダプタの短い延長を与えるために初期の手動直線摺動延長を必要とする。圧縮ストロークは、延長ストロークよりも必然的に長くなり、その理由は、圧縮ストロークが、穿刺先端を注入バイアルストッパに穿刺することを含むからである。液体薬物移動デバイスは、安全キャッチ機構をその初期の事前作動状態からプライミングするときに、バイアル注入アダプタからの液体源アダプタの延長を制限するための延長制限構造を含む。液体薬物移動装置は、作動状態で注入バイアルアダプタに液体源アダプタを固定するためのスナップ嵌合固定構造を含む。
【０００９】
本発明を理解し、実際にどのように実施され得るかを知る目的で、好適な実施形態は、同様の部品が同じように番号付けされる添付の図面を参照して、単なる非限定の例として、ここに説明されるであろう。
【図面の簡単な説明】
【００１０】
【図１】事前作動状態のユーザ作動式液体薬物移動デバイス及び事前取り付け式ユーザ取り外し可能注入バイアルの第１の実施形態を含む即用（ＲＴＵ）液体薬物移動組立体の正面図である。
【図２】図１のＲＴＵ液体薬物移動組立体の上面図である。
【図３】図１の液体薬物移動デバイスの分解図である。
【図４】図１のＲＴＵ液体薬物移動組立体の注入バイアルの縦断面図である。
【図５】図２のＡ−Ａ線に沿った事前作動状態のその液体薬物移動デバイスを含む図１のＲＴＵ液体薬物移動組立体の縦断面図である。
【図６】図２のＢ−Ｂ線に沿った事前作動状態のその液体薬物移動デバイスを含む図１のＲＴＵ液体薬物移動組立体の縦断面図である。
【図７】図６の囲まれた領域Ａの近接図である。
【図８】図２のＡ−Ａ線に沿った中間プライミング状態のその液体薬物移動デバイスを含む図１のＲＴＵ液体薬物移動組立体の縦断面図である。
【図９】図２のＢ−Ｂ線に沿ったその中間プライミング状態のその液体薬物移動デバイスを含む図１のＲＴＵ液体薬物移動組立体の縦断面図である。
【図１０】図９の囲まれた領域Ｂの近接図である。
【図１１】その中間プライミング状態からその作動状態に向けた図１の液体薬物移動デバイスの圧縮のときの安全キャッチ機構の非係合を示す近接図である。
【図１２】図２のＡ−Ａ線に沿った作動状態のその液体薬物移動デバイスを含む図１のＲＴＵ液体薬物移動組立体の縦断面図である。
【図１３】図２のＢ−Ｂ線に沿った作動状態のその液体薬物移動デバイスを含む図１のＲＴＵ液体薬物移動組立体の縦断面図である。
【図１４】事前作動状態のユーザ作動式液体薬物移動デバイス及び事前取り付け式注入バイアル及び輸液バッグの第２の実施形態を含む即用（ＲＴＵ）液体薬物移動組立体の正面図である。
【図１５】図１４のＲＴＵ液体薬物移動組立体の上面図である。
【図１６】図１４のＲＴＵ液体薬物移動デバイスの分解図である。
【図１７】図１５のＣ−Ｃ線に沿った事前作動状態の図１４のＲＴＵ液体薬物移動組立体の縦断面図である。
【図１８】図１５のＤ−Ｄ線に沿った事前作動状態の図１４のＲＴＵ液体薬物移動組立体の縦断面図である。
【図１９】図１５のＣ−Ｃ線に沿った中間プライミング作動状態の図１４のＲＴＵ液体薬物移動組立体の縦断面図である。
【図２０】図１５のＤ−Ｄ線に沿ったその中間プライミング作動状態の図１４のＲＴＵ液体薬物移動組立体の縦断面図である。
【図２１】輸液バッグと流れ連通する図１５のＣ−Ｃ線に沿った作動状態の図１４のＲＴＵ液体薬物移動組立体の縦断面図である。
【図２２】輸液バッグと流れ連通する図１５のＤ−Ｄ線に沿った作動状態の図１４のＲＴＵ液体薬物移動組立体の縦断面図である。
【図２３】事前作動状態のユーザ作動式液体薬物移動デバイスの第３の実施形態の正面斜視図である。
【図２４】中間プライミング状態の図２３の液体薬物移動デバイスの縦断面図である。
【図２５】作動状態の図２３の液体薬物移動デバイスの縦断面図である。
【発明を実施するための形態】
【００１１】
図１〜図７は、即用（ＲＴＵ）液体薬物移動組立体１００を示しており、事前作動状態のユーザ作動式液体薬物移動デバイス３０Ａと、事前取り付け式注入バイアル１０と、を含む。注入バイアル１０は、縦注入バイアル中心線１１を有し、閉端バイアル管１２と、クラウン開口１４を有する管状バイアルクラウン１３と、バイアル管１２とバイアルクラウン１３との中間のバイアル首１６と、を含む。注入バイアル１０は、バイアル管１２とバイアル首１６との中間のバイアル肩１７を含む。注入バイアル１０は、クラウン開口１４を塞ぐ注入バイアルストッパ１８と、最上注入バイアル面１９と、を含む。注入バイアル１０は、液体薬物を形成するために再構成を要する粉末内容物を含む場合がある。代替的に、注入バイアル１０は、投与目的のために希釈を要する液体内容物を含む場合がある。
【００１２】
液体薬物移動デバイス３０Ａは、縦デバイス中心線３１を有し、注入バイアル１０に入れ子式スナップ嵌合装着するための注入バイアルアダプタ３２と、事前作動状態で注入バイアルアダプタ３２に最初に装着される液体源アダプタ３３と、を含む。液体薬物移動デバイス３０Ａは、液体薬物移動デバイス３０Ａが作動準備済みであることをプライミングするための安全キャッチ機構３４を含み、それによって、不注意なユーザ活動が無傷の非穿刺注入バイアル１０を穿刺するのを防止する。液体薬物移動デバイス３０Ａは、液体薬物移動デバイス３０Ａのプライミング時にバイアル注入アダプタ３２からの液体源アダプタ３３の直線摺動延長を制限するための延長制限構造３６を含む。液体薬物移動デバイス３０Ａは、作動状態で注入バイアルアダプタ３２に液体源アダプタ３３を固定するためのスナップ嵌合固定構造３７を含む。
【００１３】
注入バイアルアダプタ３２は、横向き注入バイアルアダプタ上部面３８と、バイアルクラウン１３への入れ子式装着のための下向きぶら下がり注入バイアルアダプタスカート３９と、を含む。下向きぶら下がり注入バイアルアダプタスカート３９は、最下注入バイアルアダプタスカートリム３９Ａを有する。注入バイアルアダプタ上部面３８は、最上注入バイアル面１９の上にある貫通注入バイアルアダプタ上部面アパーチャ４１を有する。注入バイアルアダプタスカート３９は、対立的弾力性可撓性曲げ部材ペア４３を形成する４つの縦スリット４２を含む。注入バイアルアダプタスカート３９は、曲げ部材ペア４３に直交する対立的弾力性可撓性縦方向付け曲げ部材ペア４４を含む。
【００１４】
曲げ部材ペア４３は、個々がバイアルクラウン１３の下にスナップ嵌合するための内部方向付け突起４６を含む。曲げ部材ペア４３は、個々が、延長制限構造３６及びスナップ嵌合固定構造３７の双方の構成要素を構成する中央縦方向付け曲げ固定部材４８を形成する縦スリットペア４７を含む。曲げ固定部材４８は、個々が、注入バイアルアダプタ上部面３８と面一である自由端４９を有する。自由端４９は、傾斜した先導面５２を有する外部方向付け突起５１が形成される。
【００１５】
対立的弾力性可撓性縦方向付け曲げ部材ペア４４は、注入バイアルアダプタ上部面３８に向けて配設される内部方向付けフック５３で終端する。
液体源アダプタ３３は、液体薬物移動デバイス３０Ａの作動状態で注入バイアルアダプタ３２をその中に入れ子式に受容するための、横向き液体源アダプタ上部面５６と下向きぶら下がり液体源アダプタスカート５７とを有するキャップ状部材５４を含む。液体源アダプタ３３は、一体両端型液体移動部材５８を含み、それは上向き液体移動部材端部５９を有し、バイアル管１２との流れ連通のために、注入バイアルストッパ１８を穿刺するための下向き穿刺先端６１で終端する。上向き液体移動部材端部５９は、液体源アダプタ上部面５６から突出する直立液体薬物アクセスポート６２によって構成される。液体薬物アクセスポート６２は、針なし注射器、雄コネクタ及び同様のものとの流れ連通のために、示されたような雌コネクタによって構成されることが好ましい。
【００１６】
液体源アダプタスカート５７は、最下液体源アダプタスカートリム６３を有し、また、対立的切り欠きペア６４が形成され、各々が、弾力性可撓性縦方向付け曲げ部材６６を有し、液体源アダプタスカートリム６３に隣接する外部方向付けフック６７で終端する。安全キャッチ機構３４は、対立的安全キャッチペア６８を含み、各々が、内部方向付けフック５３と外部方向付けフック６７とによって構成される。
【００１７】
液体源アダプタスカート５７は、液体源アダプタスカートリム６３に隣接する対立的延長制限アパーチャペア６９と、液体源アダプタ上部面５６に隣接する対立的固定アパーチャペア７１と、を含む。延長制限アパーチャペア６９は、各々が、最上横向きリム７２及び最下横向きリム７３を有する。
【００１８】
液体薬物移動デバイス３０Ａの、それの３つの異なった状態、即ち、事前作動状態、中間プライミング状態及び、作動状態での高さは、雌コネクタ６２と最下注入バイアルアダプタスカートリム３９Ａとの間に示される。従って、液体薬物移動デバイス３０Ａは、それの作動高さＨ２（図１２参照）よりも高い事前作動高さＨ１（図５参照）を有する。液体薬物移動デバイス３０Ａは、それの事前作動高さＨ１よりも高い中間プライミング高さＨ３（図８参照）を有し、ここで、Ｈ３＝Ｈ１＋Ｈ４であり、Ｈ４は、延長制限アパーチャペア６９の高さである。
【００１９】
図５〜図１３は、次のような液体薬物移送デバイス３０Ａの使用を示す。
図５〜図７は、高さＨ１で事前作動状態の液体薬物移動デバイス３０Ａを示す。穿刺先端６１は、最上注入バイアル面１９の上にある。外部方向付け突起ペア５１は、最上横向きリムペア７２に配備される。曲げ部材ペア４４は、それらの非曲げ位置に対して外向きに付勢され、曲げ部材ペア６６は、安全キャッチペア６８が係合するようにそれらの非曲げ位置に対して内向きに付勢される。従って、安全キャッチ機構３４は、液体薬物移動デバイス３０Ａのプライミング後まで、注入バイアルアダプタ３２に向けた液体源アダプタ３３の不注意なユーザの圧縮を防止するために動作する。
【００２０】
図８〜図１０は、最下横向きリムペア７３に対して止まっている外部方向付け突起ペア５１によって止められる注入バイアルアダプタ３２から液体源アダプタ３３を延長するためのＰで示される初期手動直線摺動延長のおかげでプライミング高さＨ３で中間プライミング状態の液体薬物移動デバイス３０Ａを示す。手動直線摺動延長は、曲げ部材ペア４４及び曲げ部材ペア６６がそれらの非曲げ位置を仮定するとそれによって安全キャッチ機構３４が解放されるように、内部方向付けフックペア５３及び外部方向付けフックペア６７を係合解除する。
【００２１】
図１１は、液体薬物移動デバイス３０Ａをそれの中間プライミング状態からそれの作動状態に向けて圧縮するための後続の手動直線摺動圧縮の最初を示す。外部方向付けフックペア６７は、内部方向付けフックペア５３と接触し、それによって、曲げ部材ペア６６の瞬間的外部曲げと、曲げ部材ペア４４の瞬間的内部曲げと、が引き起こされ、それが続くのは、内部方向付けフックペア５３及び外部方向付けフックペア６７が互いに通過するまでであり、そうすると直ぐに、曲げ部材ペア４４及び曲げ部材ペア６６は、それらの非曲げ位置に逆戻りする。高さの差Ｈ１−Ｈ２は、穿刺先端６１が最上注入ポート面１９の上にあるそれの事前作動状態から、穿刺先端６１が注入バイアルストッパ１８を通って突出するそれの作動状態まで、液体源アダプタ３３が移動しなければならない変位に等しい。
【００２２】
図１２及び図１３は、Ｑで示される完全手動圧縮後の作動状態の液体薬物移動デバイス３０Ａを示す。ユーザの圧縮は、外部方向付け突起ペア５１を、固定アパーチャペア７１に向けてキャップ状部材５４の内側面上を摺動するように、延長制限アパーチャペア６９から解放し、また、注入バイアル１０との流れ連通のために、注入バイアルストッパ１８を貫くように穿刺先端６１を促す。外部方向付け突起ペア５１は、対応して作動状態で固定アパーチャペア７１の中にスナップ式に入り込み、それによって、作動された液体薬物移動デバイス３０Ａを固定する。曲げ部材ペア４４及び曲げ部材ペア６６は、対応して実質上同等の拡張である。
【００２３】
図１４〜図１６は、液体薬剤移動デバイス３０Ａと同様の構成を有する液体薬剤移動デバイス３０Ｂを含むＲＴＵ液体薬剤移動組立体２００を示し、従って、同様の部品は、同様に番号付けされる。後者の３０Ｂは、穿刺作用を同じく必要とする液体源と共に使用することを意図される範囲では、前者の３０Ａと異なる。液体源は、注入液体源、その他の同種のものの形式である場合がある。液体薬物移動デバイス３０Ｂは、注入ポート２１及び投与ポート２２を有する輸液バッグ２０との流れ連結のために実装されて示される。
【００２４】
液体薬物移動デバイス３０Ｂは、液体薬物移動デバイス３０Ａの２構成要素の構成とは対照的に、３構成要素の構成を含む。液体薬剤移動デバイス３０Ｂは、注入バイアルアダプタ８１と、液体源アダプタ８２と、注入バイアルアダプタ８１及び液体源アダプタ８２間に配設される別個の両端型液体移動部材８３と、を含む。両端型液体移動部材８３は、穿刺先端６１と同様の穿刺先端で同じく終端する上向き液体移動部材端部８４を含む。両端型液体移動部材８３は、中間円形フランジ８６を含む。
【００２５】
注入バイアルアダプタ８１は、液体薬物移動デバイス３０Ｂ’の事前作動状態と中間プライミング状態とで円形フランジ８６を支持するための注入バイアルアダプタ上部面３８に装着される上向きスリーブ８７を含む。上向きスリーブ８７は、内部方向付けフック５３が形成された対立的曲げ部材ペア４４と、対立的曲げ固定部材ペア４８と、が形成される。
【００２６】
液体源アダプタ上部面５６は、注入ポート２１を摺動可能に受容するための注入ポートコネクタ８９と、注入ポート２１の挿入をその中で止めるための対立的内部方向付け注入ポートストッパペア９１と、が形成される。上向き液体移動部材端部８４は、液体薬物移動デバイス３０Ｂ’の事前作動状態で注入ポート２１の下にある。
【００２７】
液体薬剤移動デバイス３０Ｂは、液体薬物移動デバイス３０Ａと同様の、事前作動高さＨ１、作動高さＨ２、及び中間プライミング高さＨ３を有する。高さは、液体源アダプタ上部面５６と最下注入バイアルアダプタスカートリム３９Ａとの間で示される。高さの差Ｈ１−Ｈ２は、穿刺先端６１が最上注入ポート面１９の上にあり上向き液体移動部材端部８４が注入ポート２１の下にあるそれの事前作動状態から、穿刺先端６１が注入バイアルストッパを通って突出し上向き液体移動部材端部８４が注入ポート２１を刺し通すそれの作動状態まで、液体薬物移動デバイス３０Ｂが圧縮しなければならない変位に等しい。
【００２８】
図１７〜図２２は、注入バイアル１０を備える液体薬物移送デバイス３０Ｂの使用を示し、輸液バッグ２０は、次の通りである。
図１７及び図１８は、高さＨ１で事前作動状態の液体薬物移動デバイス３０Ｂを示す。穿刺先端６１は、最上注入バイアル面１９の上にある。穿刺先端８４は、注入ポートコネクタ２１の下にある。安全キャッチ機構３４は、不注意な圧縮を防止する。外部方向付け突起ペア５１は、最上横向きリムペア７２に配備される。
【００２９】
図１９及び２０は、Ｐで示された初期手動直線摺動延長の後の高さＨ３で中間プライミング状態の液体薬物移動デバイス３０Ｂを示す。安全キャッチ機構３４は、係合解除されている。外部方向付け突起ペア５１は、最下横向きリムペア７３に対して止まる。
【００３０】
図２１及び図２２は、Ｑで示された後続の手動圧縮後の高さＨ２で作動状態にある液体薬物移動デバイス３０Ｂを示す。穿刺先端６１は、注入バイアル１０との流れ連通のために注入バイアルストッパ１８を穿刺して貫く。穿刺先端８４は、輸液バッグ２０との流れ連通のために注入ポート２１を穿刺し、それによって、輸液バッグ２０及び注入バイアル１０間の流れ連通を可能にする。外部方向付け突起ペア５１は、固定アパーチャペア７１にスナップ式に入り込む。
【００３１】
図２３〜図２５は、同じく輸液バッグ２０と共に使用するための液体薬物移動デバイス３０Ｃを示す。液体薬物移動デバイス３０Ｃは、ＰＣＴ国際出願ＷＯ２０１５／０１９３４３号（図４及び図５）で公開された「Ｌｉｑｕｉｄ  Ｔｒａｎｓｆｅｒ  Ｄｅｖｉｃｅｓ  ｆｏｒ  ｕｓｅ  ｗｉｔｈ  Ｉｎｆｕｓｉｏｎ  Ｌｉｑｕｉｄ  Ｃｏｎｔａｉｎｅｒｓ」と題する共同所有のＰＣＴ国際出願ＰＣＴ／ＩＬ２０１４／０５０６８０号に開示された液体移動デバイスと同様の構成及び動作を有する。液体薬物移動デバイス３０Ｃは、みつまたボディ９２を含み、それは輸液バッグの投与ポートへの摺動シール挿入のためのＩＶスパイク９３と、輸液セットの摺動シール挿入のための代用ＩＶポート９４と、液体薬物移動デバイス３０Ａによって構成される一体型バイアルアダプタ９６と、を有し、ここで、上向き液体移動部材端部５９は、ＩＶスパイク９３及び代用ＩＶポート９４と連続流れ連通する。
【００３２】
本発明の特定の実施形態は、例示され説明されているが、当業者に自明であることは、様々な他の変更や修正が、本発明の精神及び範囲から逸脱せずに、行うことができる、ということである。
【図１】
0006746800.tif 000002
【図２】
0006746800.tif 000003
【図３】
0006746800.tif 000004
【図４】
0006746800.tif 000005
【図５】
0006746800.tif 000006
【図６】
0006746800.tif 000007
【図７】
0006746800.tif 000008
【図８】
0006746800.tif 000009
【図９】
0006746800.tif 000010
【図１０】
0006746800.tif 000011
【図１１】
0006746800.tif 000012
【図１２】
0006746800.tif 000013
【図１３】
0006746800.tif 000014
【図１４】
0006746800.tif 000015
【図１５】
0006746800.tif 000016
【図１６】
0006746800.tif 000017
【図１７】
0006746800.tif 000018
【図１８】
0006746800.tif 000019
【図１９】
0006746800.tif 000020
【図２０】
0006746800.tif 000021
【図２１】
0006746800.tif 000022
【図２２】
0006746800.tif 000023
【図２３】
0006746800.tif 000024
【図２４】
0006746800.tif 000025
【図２５】
0006746800.tif 000026